(57)【要約】  無線ローカルエリアネットワーク（WLAN）の選択を管理するための方法と無線装置（１１０）が開示される。無線装置（１１０）は、WLANの選択のためのユーザの好みに関連した、WLANの識別子の第1のサブセット、並びに／または、WLANの選択のポリシーに関連した、WLANの第2のサブセットを取得する（２０１）。無線装置（１１０）は、WLANのリストに関連した、WLANの識別子の第3のサブセットを、無線ネットワークノードから受信し（２０２）、第1並びに／または第2のサブセットと、第3のサブセットは、どのWLANを第1並びに／または第2のサブセットと、第3のサブセットの他のWLANに対して優先させるかを示すための、それぞれの優先度レベルに関連づけられる、無線装置（１１０）は、WLAN識別子の第1、第2、および第3のサブセットから、それぞれの優先度レベルに基づいてWLANを選択する（２０５）。無線装置（１１０）は、選択されたWLANが、第3のサブセットからである場合、無線アクセスネットワーク（RAN）ルールを、選択されたWLANの観点で評価する（２０６）。無線装置（１１０）は、RANルールが達成される場合、選択されたWLANに接続する（２０７）。【選択図】図２
2016536940.tif 000002
【特許請求の範囲】
【請求項１】
無線ローカルエリアネットワーク（WLAN）の選択を管理するために、3GPPセルラ通信システム（１００）の無線ネットワークノード（１２０）により運用されるセル（C1）に位置する無線装置（１１０）により実行される方法であって、
WLANの選択に対するユーザの好みに関連した、WLANの識別子の第1のサブセット、並びに／または、WLANの選択のポリシーに関連した、WLANの第2のサブセットを取得する工程（２０１）と、
WLANのリストに関連した、WLANの識別子の第3のサブセットを、前記無線ネットワークノード（１２０）から受信する工程（２０２）であって、前記第1並びに／または第2のサブセットと、前記第3のサブセットのそれぞれは、どのWLANを前記第1並びに／または第2のサブセットと、前記第3のサブセットの他のWLANに対して優先させるかを示すための、それぞれの優先度レベルに関連づけられる、工程と、
WLAN識別子の前記第1、第2、および第3のサブセットから、前記それぞれの優先度レベルに基づいてWLANを選択する工程（２０５）と、
前記選択されたWLANが、前記第3のサブセットからである場合、無線アクセスネットワーク（RAN）ルールを、前記選択されたWLANの観点で評価する工程（２０６）であって、前記RANのルールは、前記無線装置（１１０）がいつ前記選択されたWLANに進むかと、前記無線装置（１１０）がいつ前記3GPPセルラ通信システムに進むかを示す、工程と、
前記RANルールが達成される場合、前記選択されたWLANに接続する工程（２０７）と、を有することを特徴とする方法。
【請求項２】
前記選択されたWLANの前記選択は、前記第2と第3のサブセットのWLANより先に、前記第１のサブセットからのWLANが優先される間に行われることを特徴とする請求項１に記載の方法。
【請求項３】
前記選択されたWLANの前記選択は、前記第3のサブセットのWLANより先に、前記第2のサブセットからのWLANが優先される間に行われることを特徴とする請求項１または２に記載の方法。
【請求項４】
前記無線装置（１１０）には、複数の第3のサブセットが提供され、いくつかの第3のサブセットのWLANは、それぞれ前記第2のサブセットのWLANより高い優先度のレベルを有し、いくつかの他の第3のサブセットの他のWLANは、それぞれ前記第2のサブセットのWLANより低い優先度のレベルを有することを特徴とする請求項１から３のいずれか１項に記載の方法。
【請求項５】
前記それぞれの優先度のレベルは、前記第1、前記第2、および前記第3のサブセットの少なくとも１つの中におけるWLAN間で関連付けられた優先度を含むことを特徴とする請求項１から４のいずれか1項に記載の方法。
【請求項６】
前記RANルールは、アクセスの選択のルール、並びに／または、トラフィックステアリングのルールを含むことを特徴とする請求項１から５のいずれか１項に記載の方法。
【請求項７】
前記RANルールの前記評価（２０６）は、
前記無線装置（１１０）が測定した前記3GPPセルラ通信システム（１００）の信号強度が第１の閾値より低く、前記無線装置（１１０）が測定したWLANの信号強度が第２の閾値より高い場合、前記選択されたWLANへ進み、
前記無線装置（１１０）が測定した前記3GPPセルラ通信システム（１００）の信号強度が第３の閾値より高い、または前記無線装置（１１０）が測定したWLANの信号強度が第４の閾値より低い場合、前記3GPPセルラ通信システム（１００）に進む、ことを含むことを特徴とする請求項１から６のいずれか１項に記載の方法。
【請求項８】
RANの前記信号強度は、参照信号受信電力（RSRP）または受信信号コード電力（RSCP）であり、WLANの信号強度は、受信チャネル電力インジケータ（RCPI）または受信信号強度インジケータ（RSSI）であることを特徴とする請求項１から７のいずれか1項に記載の方法。
【請求項９】
無線ローカルエリアネットワーク（WLAN）の選択を管理するために、3GPPセルラ通信システム（１００）の無線ネットワークノード（１２０）により運用されるセル（C1）に位置する無線装置（１１０）であって、
WLANの選択のためのユーザの好みに関連した、WLANの識別子の第1のサブセット、並びに／または、WLANの選択のポリシーに関連した、WLANの第2のサブセットを取得し、
WLANのリストに関連した、WLANの識別子の第3のサブセットを、前記無線ネットワークノード（１２０）から受信し、ここで、前記第1並びに／または第2のサブセットと、前記第3のサブセットのそれぞれは、どのWLANを前記第1並びに／または第2のサブセットと、前記第3のサブセットの他のWLANに対して優先させるかを示すための、それぞれの優先度レベルに関連づけられ、
WLAN識別子の前記第1、第2、および第3のサブセットから、前記それぞれの優先度レベルに基づいてWLANを選択し、
前記選択されたWLANが、前記第3のサブセットからである場合、無線アクセスネットワーク（RAN）ルールを、前記選択されたWLANの観点で評価し、ここで、前記RANルールは、前記無線装置（１１０）がいつ前記選択されたWLANに進むかと、前記無線装置（１１０）がいつ前記3GPPセルラ通信システムに進むかを示し、
前記RANルールが達成される場合、前記選択されたWLANに接続する、ように構成されることを特徴とする無線装置（１１０）。
【請求項１０】
前記選択されたWLANを、前記第2と第3のサブセットのWLANより先に、前記第１のサブセットからのWLANが優先される間に選択するように構成されることを特徴とする請求項９に記載の無線装置（１１０）。
【請求項１１】
前記選択されたWLANを、前記第3のサブセットのWLANより先に、前記第2のサブセットからのWLANが優先される間に選択するように構成されることを特徴とする請求項９または１０に記載の無線装置（１１０）。
【請求項１２】
複数の第3のサブセットが提供されるように構成され、ここで、いくつかの第3のサブセットのWLANは、それぞれ前記第2のサブセットのWLANより高い優先度のレベルを有し、いくつかの他の第3のサブセットの他のWLANは、それぞれ前記第2のサブセットのWLANより低い優先度のレベルを有する、ことを特徴とする請求項９から１１のいずれか１項に記載の無線装置（１１０）。
【請求項１３】
前記それぞれの優先度のレベルは、前記第1、前記第2、および前記第3のサブセットの少なくとも１つの中におけるWLAN間で関連付けられた優先度を含むことを特徴とする請求項９から１２のいずれか1項に記載の無線装置（１１０）。
【請求項１４】
前記RANルールは、アクセスの選択のルール、並びに／またはトラフィックステアリングのルールを含むことを特徴とする請求項９から１３のいずれか１項に記載の無線装置（１１０）。
【請求項１５】
前記無線装置（１１０）は、
前記無線装置（１１０）が測定した前記3GPPセルラ通信システム（１００）の信号強度が第1の閾値より低く、前記無線装置（１１０）が測定したWLANの信号強度が第2の閾値より高い場合、前記選択されたWLANへ進み、
前記無線装置（１１０）が測定した前記3GPPセルラ通信システム（１００）の信号強度が第3の閾値より高い、または前記無線装置（１１０）が測定したWLANの信号強度が第4の閾値より低い場合、前記3GPPセルラ通信システム（１００）に進む、ように構成されることを特徴とする請求項９から１４のいずれか１項に記載の無線装置（１１０）。
【請求項１６】
RANの前記信号強度は、参照信号受信電力（RSRP）または受信信号コード電力（RSCP）であり、WLANの信号強度は、受信チャネル電力インジケータ（RCPI）または受信信号強度インジケータ（RSSI）であることを特徴とする請求項１５に記載の無線装置（１１０）。
【請求項１７】
無線装置（１１０）において実行された場合に、請求項１から８のいずれか１項に記載の前記方法を前記無線装置（１１０）に実行させる、コンピュータ読み取り可能なコードユニットを含む、WLANの選択を管理するためコンピュータプログラム（７１０）。
【請求項１８】
コンピュータ読み取り可能な媒体（７０３）と請求項１７に記載のコンピュータプログラム（７０１）を含む、コンピュータプログラム製品（７０２）。
【発明の詳細な説明】
【技術分野】
【０００１】
本実施形態は、電気通信システム等の無線通信システムに関する。特に、無線ローカルエリアネットワーク（WLAN）の選択を管理する方法と無線装置が開示される。加えて、コンピュータプログラムと、それに対応するコンピュータプログラム製品が開示される。
【背景技術】
【０００２】
第３世代パートナシッププロジェクト(3GPP)は、3GPP 技術仕様書（Technical Specification (TS) ）23.402 および3GPP TS 24.312に規定されるAccess Network Discovery and Selection Function (ANDSF)と呼ばれる機能性を定義した。この機能性は、ネットワークにより、ユーザ装置（UE）に対して、無線ローカルエリアネット(WLAN/Wi-Fi)のアクセスの選択とトラフィックステアリングを行う際にUEを支援するためのポリシールールが提供されることに基づく。
【０００３】
さらに、ANDSFメカニズムは、Wi-Fi Allianceにより定義されるようなホットスポット（HotSpot (HS)）パラメータに対するサポート の追加により、3GPP Rel-12において強化される。HS2.0 に対するサポートは、3GPP Technical Report (TR) 23.865に規定されている。
【０００４】
同時に、3GPP 技術仕様書グループ（Technical Specification Group (TSG) ）システムアスペクト（System Aspects (SA)） 2において、ANDSFに対する改良が現在進行中である。また、WLANアクセスの選択とトラフィックステアリングを制御するための無線アクセスネットワーク(RAN)のサポートを導入するに関し、3GPP TSG RAN2におけるスタディが現在進行中である。このためのRANのサポートを導入するためのモチベーションには、無線性能と、信号強度、セルの負荷のようなネットワークコンディションに依存したアクセスの選択を行う可能性が含まれる。
【０００５】
アクセスネットワークディスカバリと選択の機能
以下において、3GPP TR 23.865 v12.0.0に説明されているように、ANDSFの異なる要素について簡単にまとめる。
【０００６】
＜WLAN 選択のポリシー＞
WLAN選択のポリシー(WLANSPs) は、異なるWLAN間の優先度を提供する。WLANSP は、3GPP セルラの接続について何ら言及することはできない。WLANSPのポリシーにおいて、基地局システム（BSS）の負荷を導入することが提案され、以下の例のように表すことができる。
【０００７】
例におけるようなポシリーを伴い、ユーザ装置は、カバレッジにおいて負荷が７０％以下である場合、WLAN Aと接続し、カバレッジにおいてそれ以外の場合、WLAN Bと接続する。
表１：WLANSPの例
2016536940.tif 000003
【０００８】
＜システム間のルーティング（伝達）ポリシー＞
どのようにユーザ装置が異なるアクセス間でトラフィックを決定すべきかを示すために、システム間のルーティングポリシー(ISRP) が使用される。ISRP は、WALNと3GPP の同時接続を有するUEに対して適用可能である。ISRPポリシーでは、UEに対して、どのアクセスに接続すべきかだけでなく、UEがアクセスに一旦同時に接続された場合に、どのようにトラフィックを決めるかについては規定されていない。
【０００９】
例示的なポリシーを以下に説明する。例示的なポリシーを伴い、UEは、両方に接続されている場合、音声トラフィックを3GPPに伝達するが、WLANにはブラウジング（browsing）を伝達する。もし、UEがWLANに接続されていない場合は、UEは、3GPP を介して音声およびブラウジングの両方を伝達する。
【００１０】
ISRPの例
アクセスポイントの名前（APN）A に対して（例えば音声）：
優先度１  3GPP
優先度２  WLAN
APN B に対して（例えばブラウジング）：
優先度１  WLAN
優先度２  3GPP
【００１１】
RAN 制御されたWLANのオフローディング（offloading）
WLANアクセスの選択についての 3GPP TSG RAN2のスタディにおいて、現在、ユーザ装置がRAN使用において規定されたルールに従ってアクセスの選択を行う、妥協的な解決策が提案されている。これらのルールは、いつユーザ装置がWLANに進むべきかと、いつ3GPPに進むべきかを示している。ルールに従えば、ユーザ装置は、測定したメトリック、例えば3GPP信号強度とWLAN信号強度 を、RANからシグナリングされる閾値を比較する。本明細書では、これらのルールを、「WLANに関連するRANルール」として参照されてもよい。
ロングタームエヴォリューション (LTE)に対するRANルールの例
2016536940.tif 000004
【００１２】
UEが測定した参照信号受信電力(Reference Signal Received Power（RSRP)がthreshRsrpLowより低く、測定した受信チャネル電力インジケータ (RCPI)がthreshRcpiHighより高い場合、ユーザ装置はWLANへ進む。UEが測定したRSRPがthreshRsrpHighより高い場合、または、測定したRCPIがthreshRcpiLowより低い場合、ユーザ装置は3GPPへ進む。
【００１３】
また、RANは、RANルールを評価する場合に、ユーザ装置によりどのWLANが検討されるべきかを示す。例えばこれは、UEに提供されたWLANのリストであり得る。また、必要と考えられるのであれば、WLANの区別を提供するための異なる閾値のセットのための異なるRANリストを有することも可能である。
【００１４】
RAN/WLANの統合または、RANとWLAN間の相互接続のための既知の解決策により、無線性能、負荷、モビリティ、および最適化されたエンドユーザとシステムの性能をもたらす他のパラメータに基づいて、Wi-Fiアクセスの選択およびトラフィックステアリングを制御するための可能性が提供される。しかしながら、RAN制御が望まれない場合、例えば、RANにより制御されない可能性のあるWi-Fiの選択のためのいくつかの他の理由が存在する場合のシナリオがあることが問題である。
【００１５】
第１の例示的なシナリオは、ユーザ装置が別の国にローミングしているときに関連する。このシナリオでは、オペレータは、典型的には、ユーザ装置は、特別なローミングの合意（より低いコスト）が存在する特定のWLAN APとだけ接続することを望む。このシナリオにおけるWi-Fiの選択に対するオペレータのポリシーは、ユーザ装置、すなわち、ユーザ装置の加入者に関連するホームオペレータのANDSFポリシーにより処理され得る。
【００１６】
第２の例示的なシナリオは、ユーザ装置のユーザが、オペレータがコントロールできないプライベートネットワークに接続することを望むときに関連する。このシナリオでは、Wi-Fiの選択のためのポリシーは、ユーザ装置において構成されるエンドユーザの好み（preference）により処理され得る。
【発明の概要】
【００１７】
上述した種類のRAN/WLANの統合（integration）に対する既知の解決策を改善することが目的であり得る。例えば、どのWLANが選択されるかに関連する更なる柔軟性が望まれ得る。
【００１８】
ある観点によれば、無線装置により実行される、WLANの選択を管理するための方法により、当該目的は達成される。無線装置は、3GPPセルラ通信システムの無線ネットワークノードにより運用されるセルに位置する。無線装置は、WLANの識別子の第１のサブセット、並びに／または第２のサブセットを取得する。ここで、第１のサブセットは、WLANの選択に対するユーザの好み（preference）に関連し、第２のサブセットは、WLANの選択のポリシーに関連する。無線装置は、無線ネットワークノードから、WLANの識別子の第３のサブセットを受信する。ここで、第３のサブセットは、WLANのリストに関連し、第１のサブセット並びに／または第２のサブセット、および第３のサブセットの各々は、どのWLANが、第１のサブセット並びに／または第２のサブセット、および第３のサブセットの他のWLANに対して優先されるかを示すための、それぞれの優先度レベルと関連する。さらに、無線装置は、それぞれの重要度レベルに基づいて、WLANの識別子の第１のサブセット、第２のサブセット、および第３のサブセットからWLANを選択する。次に、無線装置は、選択されたWLANの観点で、無線アクセスネットワーク（RAN）ルールを評価する。RANルールは、選択されたWLANが第３のサブセットからである場合、いつ無線装置が選択されたWLANへ進むか、および、いつ無線装置が3GPPセルラ通信システムに進むか、を示す。無線装置は、RANルールが達成された（fulfill）場合に、選択されたWLANと接続する。
【００１９】
別の観点によれば、WLANの選択を管理するように構成された無線装置より、当該目的は達成される。無線装置は、3GPPセルラ通信システムの無線ネットワークノードにより運用されるセルに位置する。無線装置は、WLAN識別子の第１のサブセットまたは第２のサブセットを取得するように構成される。ここで、第１のサブセットは、WLANの選択に対するユーザの好み（preference）に関連し、第２のサブセットは、WLANの選択のポリシーに関連する。さらに、無線装置は、無線ネットワークノードから、WLANの識別子の第３のサブセットを受信するように構成される。ここで、第３のサブセットは、WLANのリストに関連し、第１のサブセット並びに／または第２のサブセット、および第３のサブセットの各々は、どのWLANが、第１のサブセット並びに／または第２のサブセット、および第３のサブセットの他のWLANに対して重要かを示すための、それぞれの重要度レベルと関連する。無線装置は、それぞれの重要度レベルに基づいて、WLANの識別子の第１のサブセット、第２のサブセット、および第３のサブセットからWLANを選択するように構成される。さらに、無線装置は、選択されたWLANが第３のサブセットからである場合、選択されたWLANの観点において、RANルールを評価するように構成される。RANルールは、いつ無線装置が選択されたWLANへ進むか、および、いつ無線装置が3GPPセルラ通信システムに進むか、を示す。加えて、無線装置は、RANルールが達成された場合に、選択されたWLANと接続するように構成される。
【００２０】
例として、無線装置により実行される、RAN並び／またはANDSF／ユーザレベル情報に基づいたWLANアクセスの選択並びに／またはサービスマッピングのための方法がここに提供される。これに応じて、どのように3GPP/WLAN 間の相互接続がさらに改善されるかが、ここに提案される。
【００２１】
すなわち、本実施形態は、ANDSFに対する現存の原理またはアクセスとトラフィックの選択に対するユーザレベルのポリシー／決定の互換性を維持しながら、WLANアクセスの選択、並びに／または、トラフィックステアリングに対する3GPP RAN制御を許容する問題を解決する。
【００２２】
いくつかの実施形態の利点は、ANDSFやWLANアクセスの選択に対するユーザのメカニズムへの変更を必要とせず、RANにおいてWLANアクセスの選択とトラフィックステアリングを制御する可能性を含む。例えば、オペレータは、「レガシー」UEのためにANDSFステアリングを使用し、場合によってはいくつかのエリアでのみ「新しい」UEのためにRANステアリングを使用する。この場合、WLAN APと、優先度の順位は、ANDSFとRANステアリングとで同じであり得る。しかし、RANステアリングをサポートする無線装置に対しては、ANDSFポリシーは無視される。RANから提供されたWLAN APリストは、必要時に、動的に変更することが可能である。
【図面の簡単な説明】
【００２３】
特定の特徴とその利点を含む、ここに開示される実施形態の多様な観点は、以下の詳細な説明と付随する図面から、直ちに理解されるだろう。
【図１】図１は、本実施形態が実装される例示的な無線通信システムの概略図である。
【図２】図２は、図１による無線通信システムにおいて実行される場合の方法の実施形態を図示した、概略的なシグナリングスキームとフローチャートの結合図である。
【図３】図３は、本実施形態を図示する概略的なフローチャートである。
【図４】図４は、本実施形態を図示する例示的なシナリオである。
【図５】図５は、本実施形態を図示する例示的なシナリオである。
【図６】図６は、無線装置における方法の実施形態を図示するフローチャートである。
【図７】図７は、無線装置の実施形態を図示するブロック図である。
【発明を実施するための形態】
【００２４】
本実施形態の利益と利点をよりよく理解するために、現存の解決策を伴う課題をここで分析する。
【００２５】
アクセスの選択の間に、いつRAN制御に従うか、いつANDSFを使用するか、および、いつユーザの好みを適用するかを知ることが、無線装置に対する課題であることが理解されている。
【００２６】
別の課題は、複数のWLAN APが発見された場合に、どのように無線装置がWLAN APに優先順位をつけ得るか、である。これらの複数のWLAN APは、ANDSFまたはRANのいずれかにより制御され得る。
【００２７】
本実施形態は、複数のメカニズムを用いて、現存する解決策を伴う問題を解決する。
【００２８】
第１のメカニズムは、無線装置が異なるWLANを検討する優先度の順位が、実際のアクセスの選択並びに／またはトラフィックステアリングとは分離されていることに関連する。
【００２９】
このことは、課題を簡単化する。なぜなら優先度の順位は、WLANがRAN制御されているか否かに、むしろ無関係であり得るからである。
【００３０】
例えば、優先度の順位は、ユーザ＝＞ホームオペレータANDSF＝＞訪問先（Visited）オペレータANDSF＝＞RANにより提供されたWLAN APとなり得る。しかし、他の優先度の順位もサポートすることが可能である。
【００３１】
第２のメカニズムは、一度WLAN APが選択されると、無線装置はこのWLANがRAN制御されているか否かを、RANにより提供された情報、並びに前もって定義された他の基準に基づいてチェックすることに関連する。
【００３２】
もしWLANがRAN制御されているのであれば、UEはRANアクセスの選択原理に基づいて動作し、アクセスの選択についてANDSFのポリシー等は無視する。
【００３３】
WLANがRAN制御されていないのであれば、それは、存在すれば、ANDSFのポリシーに従う。これは、もしWLANがANDSFのポリシーに含まれるのであれば、UEはそのWLANに対するANDSFのポリシーに従って動作し、そのWLANに対するRANルールを無視することを意味する。
【００３４】
特に、これにより、今日として維持可能なアクセスの選択に対し、ANDSF／ユーザメカニズムの影響を回避することが可能となる。すべての影響はRANレベルの上にある。
【００３５】
さらに、他の前もって定義された他の基準は、RAN制御されたアクセスの制御が、無線装置が別のネットワークにローミングする際に禁止される場合を含み得る。
【００３６】
いくつかの実施形態によれば、RANは、必要に応じてWLANアクセスの選択だけを制御し、一度WLANが選択されると、ANDSFにトラフィックステアリングまたはサービスマッピングを制御することを許容することができる。
【００３７】
以下の説明の中での同様な参照番号は、適用可能であれば、要素、ユニット、モジュール、回路、ノード、パーツ、アイテム等のような、同様な特徴を示すために使用される。図において、いくつかの実施形態において現れる特徴は、破線により示される。
【００３８】
図１は、本実施形態が実装され得る例示的な無線通信システム１００を示す。この例において、無線通信システム１００は、ロングタームエヴォリューション（LTE）システムである。他の例では、無線通信システムは、広帯域符号分割多重アクセス（WCDMA（登録商標））ネットワーク、GSM（Global System for Mobile communication）（登録商標）ネットワーク等のあらゆる3GPPセルラ通信システムであり得る。
【００３９】
無線通信システム１００は、無線ネットワークノード１２０を含む。ここで使用されるような、「無線アクセスノード」は、eNB（evolved Node B）、１つ以上の遠隔無線ユニット（RRU）、無線基地局、基地局、アクセスポイント等を参照し得る。本明細書では、無線ネットワークノード１２０は、無線アクセスネットワーク（RAN）の一部を表す。
【００４０】
無線ネットワークノード１２０は、セルC1を運用し得る。
【００４１】
さらに、無線装置１１０、すなわちユーザ装置は、セルC1に位置する。
無線装置１１０は、例えば無線インタフェースである１４０を介して、無線ネットワークノード１２０と通信を行う。
【００４２】
さらに、それぞれ第１のWLANアクセスポイントと第２のWLANアクセスポイントとして、WLAN AP１６０とWLAN AP１７０として示される１つ以上のWLANアクセスポイントが存在し得る。各WLANアクセスポイントは、それぞれのWLAN APNまたは、他の識別子により識別され得る。無線装置１１０は、該第１の無線アクセスポイントと該第２のアクセスポイントのうちの一方または両方の近傍に位置し得る。ここで用いられる「WLAN」と「Wi-Fi」という語は、同じ意味に使用され得る。
【００４３】
ここで用いられる「無線装置」は、携帯電話、無線通信機能が装備されたPDA（Personal Digital Assistant）、スマートフォン、内部または外部のモバイルブロードバンドモデムが装備されたラップトップまたはパーソナルコンピュータ（PC）、無線通信機能が装備されたタブレットPC、ポータブル電子無線通信装置、無線通信機能が装備されたセンサ装置等を参照し得る。センサは、風、温度、気圧、湿度等のあらゆる種類の気象センサであり得る。さらなる例として、センサは、光センサ、電子スイッチ、マイクロフォン、拡声器、カメラセンサ等であり得る。また、「ユーザ」という語は、無線装置を参照し得る。
【００４４】
１つの例示的な実施形態によれば、無線装置は、当該無線装置が接続のために検討するWLANのリストを取得し得る。無線装置は、当該リストのWLANのそれぞれに対する各優先度を設定し得る。その後、無線装置は、当該リストのWLANのそれぞれに対する各優先度の中から、優先度が一番高い（すなわち、最も優先付られた、あるいは、最も優先付けられることは一番低い値により示され得る）WALNを選択する。このようなやり方で、無線装置は、各優先度に基づいて、WLANを選択し得る。選択されたWLAN、例えば、WLAN APが、無線アクセスノード、例えばRANが提供したWLAN APから受信された場合、無線装置は、選択されたWLANに対するRANステアリング／制御が許容されるかを、例えば、許容されていないWLANを含むブラックリストをチェックすることにより（すなわち、ブラックリストにおけるWLANに対してはRANステアリングは許容されていない）、チェックする。ブラックリストは、例として、無線装置のユーザにより構成され得る。または、ホームオペレータにより提供され得る。RANステアリングが許容された場合、無線装置は、WLANに関連するRANルールを適用し得る。もし、WLANに関連するRANルールに従う条件が満たされた場合、無線装置はWLANに接続し得る。選択されたWLANが無線ネットワークノードから受信されない場合（例えば、それが詳細な説明に従ったRANリストにある場合）、無線装置は当該選択されたWLANに接続し得る。
【００４５】
図２は、図１の無線通信システム１００において実装された場合のWLANの選択を管理するための例示的な方法を示す。無線装置は、第１のWLANアクセスポイントと第２のWLANアクセスポイントとして、WLANの選択を管理するための方法を実行する。既に述べたように、無線装置１１０は、3GPP セルラ通信システム１００の無線ネットワークノード１２０により運用されるセルC1において位置する。例として、WLANの選択は、第１と第２のWLANにより、またはWLANアクセスポイントのうちの一つの選択であり得る。第１と第２のWLANのうちの１つの選択は、１つ以上のANDSF、ユーザの好み、またはここで説明するようなRANルールの適用の後（または適用する後）に、無線装置１１０が第１と第２のWLANのうちの１つと接続し得ることを意味する。
【００４６】
以下のアクションは、あらゆる好適な順序で実行され得る。いくつかのアクションは、「〜得る（may）」といいう言葉により示されるように、省略されてもよい。
【００４７】
［アクション２０１］
無線装置１１０は、WLAN識別子の第１のサブセット並びに／または第２のサブセットを取得する。ここで、第１のサブセットは、WLANの選択に対するユーザの好みに関連し、第２のサブセットはWLAN選択のポリシーに関連する。
【００４８】
一般的に、これは、無線装置１１０がWLANのセットまたはAPのセットを取得し得ることを意味する。WLANのセットは、可能であれば／許容されれば、例えば無線の条件に依存して、並びに／または、RANステアリングが許容されれれば、どのWLANに接続すべきかを選択する際に、無線装置により検討される。
【００４９】
WLANのセットは、多くの異なるやり方で取得され得る。典型的には、WLANのセットは、WLAN（WLAN AP）のサブセットを含み得る。
【００５０】
以下において、どのWLANを検討すべきか、すなわち、無線装置１１０が気づくWLANが、さらに説明される。
【００５１】
アクセスの選択を行う場合、無線装置１１０は、WLANのセットを検討する。当該セットは、異なる方法で無線装置１１０により取得されたWLAN（またはそのサブセット）を含み得る。
【００５２】
以下の例を考える。
●ユーザの好み（preference）に関連する第１のサブセット
ユーザの好み−ユーザは、無線装置１１０に、アクセスの選択を行う際に検討され得るWLANのセットを提供し得る。これは、例えば、ユーザにより、マニュアルで、無線装置１１０に、よりどのWLANが検討され得るかを示すことにより行われ得る。
●WLANSPに関連する第２のサブセット
WLANSP−ANDAFでは、端末は、無線装置１１０により検討され得るWLANを含むWLAN選択のポリシー（WLANAP）を受信することができる。WLANSPは、示されたWLAN間の優先度を含むことができる。
●RANから受信したリストに関連した第３のサブセット
RANのリスト−無線装置１１０は、RAN'ルールを評価する際、無線装置１１０により検討されるWLANのリストを、RANから受信し得る。
【００５３】
各サブセットは、それぞれのWLANまたはWLAN APに関連する１つ以上の表示を含む。
【００５４】
いくつかの例において、WLANのセットは、無線ネットワークノードのような無線アクセスネットワークから受信したリストに関連する第３のサブセットを含む。
【００５５】
当該セットの各WLANは、当該セットの他のWLANに対してどのWLANが優先されるかを示す各優先度に関連づけられ得る。優先度付けは、どのWLANに無線装置が最初に接続を試みるかを意味する。
【００５６】
これらは、どのWLANを無線装置１１０が検討し得るかの例示的なインプットに過ぎないと理解されるべきである。他の可能性も考えられ得る。例えば、無線装置１１０は、いくつかのWLANを検討するように事前に構成され得る。これは、SIM等を介して無線装置１１０に提供され得る。さらに、そのような事前に構成されたWLANは、ホームサブスクライバーシステムのような、サブスクリプション情報を扱うコアネットワークノードにより提供され得る。
【００５７】
一つの例では、無線装置１１０は、以下のWLANを検討し得る。
2016536940.tif 000005
【００５８】
上記の例に示すように、WLANSPとRANリストの両方が、WLAN Dが検討され得ることを示す場合、同じWLANを提供する異なるソースが存在することが可能である。
【００５９】
無線装置１１０はまた、複数のRANリストを提供され得る。ここで、同じリストにおけるWLANは、WLANSPにおいて提供されたWLANより高い優先度を有し、一方で他のリストは例えばWLANSPにおけるWLANより低い優先度を有する。リストは、ゼロまたは他の要素を有することができ、ここでゼロはそのリストにおいて提供されるWLANがないことを示す。したがって、無線装置１１０は、複数の第３のサブセットが提供され得る。ここで、いくつか第３のサブセットのWLANは、第２のサブセットのWLANより高い優先度レベルをそれぞれ有し、一方、いくつかの他の第３のサブセットのWLANは、第２のサブセットのWLANより低い優先度レベルをそれぞれ有する。
【００６０】
同様に、無線装置１１０は、異なるソース、例えば、ホームオペレータまたはローミングの場合に訪問先オペレータから複数のWLANSPリストを提供され得る。
【００６１】
［アクション２０３］
無線ネットワークノード１２０は、無線装置１１０に対し、無線装置により（それに接続するに関して）検討され得る、WLANに関連するリスト、またはWLANの第２のサブセット、またはWLANのRANリストを送信し得る。例として、リストは、無線装置１１０が優先度や無線条件等に依存して接続し得るWLAN APのリストであり得る。
【００６２】
［アクション２０２］
無線装置１１０は、アクション２０３において説明したリストを受信し得る。特に、無線装置１１０は、無線ネットワークノード１２０から、WLANのリストに関連する、WLAN識別子の第３のサブセットを受信する。既に述べたように、第１のサブセット並びに／または第２のサブセットと、第３のサブセットのそれぞれは、第１のサブセット並びに／または第２のサブセットと、第３のサブセットの他のWLANに対してどのWLANが優先かを示すための、それぞれの優先度レベルに関連している。
【００６３】
いくつかの例において、特定のサブセット内のWLAN間の更なる優先度付けが実行され得る。これらの例では、各優先度レベルは、特定のサブセット内、例えば、少なくとも第１、第２、および第３のサブセットのいずれか１つ内におけるWLAN間の関連する優先度を含む。これは、各優先度レベルは関連した優先度の範囲、例えば、優先度の値を含み得る。各優先度の値は、特定のサブセット内の各WLANに関連し得る。
【００６４】
［アクション２０３］
この組み合わされたシグナリングとフローチャートの理解を簡単にするために、ここでは、アクション２０３は、アクション２０２が実行される前に実行されると言うことができる。
【００６５】
従って、無線装置１１０に第３のサブセットを気づかせるために、無線ネットワークノード１２０は、第３のサブセットを無線装置１１０に送信し得る。
【００６６】
［アクション２０４］
無線装置１１０は、セットのWLANのそれぞれに対する優先度を割り当て得る。例として、無線装置１１０は、リストのWLANのそれぞれに対して、それぞれの優先度レベル（または優先度の値）を割り当て得る。しかしながら、いくつかの例では、セットのそれぞれのWLANに対する優先度レベルは、事前に決定され得る（または事前に定義され得る）。例えば、アクション２０２において受信したリストは、リストのそれぞれのWLANに対するそれぞれの優先度レベルを含み得る。
【００６７】
異なるWLANの優先度付け
無線装置１１０は、検討したWLANに対して優先度を割り当て得る。いくつかの実施形態によれば、どのように優先度が割り当てられ得るか異なる方法が考えられる。例えば、無線装置１１０は、WLAN間の優先度を割り当てた場合に事前に構成されたルールに従うことができ、ネットワークは、無線装置１１０（例えば無線装置）に対し、どのように無線装置１１０が優先度を割り当てるべきかを知らせてもよい。
【００６８】
WLAN間の優先度を割り当てる多くの異なる方法が考えられ得る。例えば、無線装置１１０は、ユーザの好みにより提供されたWLAN、例えばホームWLANに対して一番高い優先度を与えることができる。無線装置１１０は、WLANSPにより提供されたWLANに対して２番目に高い優先度を与えることができ、RANにより提供されたWLANに対して３番目に高い優先度を与えることができる。
【００６９】
無線装置１１０がWLANを受信するための異なるソースも、提供された異なるWLAN間の関連する優先度を提供し得る。例えば、WLANSPは、どのWLANが検討され得るかを示すだけでなく、以下のリストにおいて示されるように、示されたWLAN間の優先度も提供することができる。同様に、エンドユーザの好みは、複数のWLANを検討するためものとなってもよく、エンドユーザは、異なるWLANに対して異なる優先度を有する。例えば、無線装置１１０は、WLAN Bに対してWLAN Aを優先することができ、これは、無線装置１１０がWLAN AとWLAN Bの両方のカバレッジにある際に、無線装置１１０はWLAN Aと接続し得る事を意味する。これは単なる例であり、無線装置１１０は、２つのWLANの信号強度を考慮するように、両方のカバレッジにある際に、WLAN AとWLAN Bの間でより賢い選択を行ってもよい。
【００７０】
無線装置１１０が、検討したWLANに対して優先度を割り当てた場合、無線装置１１０は、以下の例に示されるように、検討したWLANの優先度の順序を有することが可能である。    優先度１  WLAN A
優先度２  WLAN B
優先度３  WLAN C
優先度４  WLAN D
優先度５  WLAN E
【００７１】
［アクション２０５］
無線装置１１０は、それぞれの優先度レベルに基づいて、WLANの識別子の第１、第２および第３のサブセットからWLANを選択する。
【００７２】
選択されたWLANの選択は、第２と第３のサブセットのWLANより先に、第１のサブセットからのWLANが優先される間に、実行され得る。
【００７３】
選択されたWLANの選択は、第３のWLANより先に、第２のサブセットからのWLANが優先される間に、実行され得る。
【００７４】
無線装置は、続くアクションにおいて、接続するWLANを選択し得る。
【００７５】
例として、選択は、アクション２０４において決定された優先度に基づき得る。更なる例が以下に示される。
【００７６】
＜WLANの選択＞
無線装置１１０は、まだ接続していないときに、検討したWLANのセットの中のWLANを選択し得る。無線装置１１０は、優先度の順序に従って、WLANを選択することができる。WLANを選択するために他の方法、例えば、ランダムWLANを選択する、最強の受信信号強度が受信されたWLANを選択する、等の方法も可能である。この場合、WLAN優先度の順序（レベル）は、例えば、受信信号強度等に基づいて設定され、これは、優先度レベルは動的に決定されることを意味する。従って、優先度は、例えば、周期的に、または、無線装置が移動した場合または移動している場合には無線装置の移動性の検出に基づいて更新される必要があり得る。しかしながら、例として、無線装置１１０が優先度の順序に従ってWLANを選択する際の他の方法を以下に説明する。
【００７７】
無線装置１１０は、検討したWLANの中から、無線装置１１０がカバレッジにある、１つのWLANだけを選択し得る。上述した例示的な優先度の順序において、無線装置１１０がWLAN B、WLAN D、WLAN Eのカバレッジにある場合、無線装置１１０は、無線装置１１０がカバレッジにあるWLANの中で一番高い優先度を有するWLAN Bを選択する。WLANのカバレッジにあることは、例えば、無線装置１１０が、そのWLANを検出することとして定義され、そのWLANからの受信信号強度が閾値より高いこととして定義され得る。
【００７８】
［アクション２０６］
無線装置１１０は、選択されたWLANが第３のサブセットからのものである場合、選択されたWLANの観点におけるRANルールを評価する。RANルールは、いつ無線装置１１０が選択されたWLANに進むか、例えば接続するか、および、いつ無線装置１１０が3GPPセルラ通信システム１００に進むか、例えば接続するか、を示す。
【００７９】
RANルールは、アクセスの選択のルール並びに／またはトラフィックステアリングのルールを含み得る。
【００８０】
より詳細には、RANルールの評価は以下のものを含み得る。
１）無線装置１１０が測定した3GPPセルラ通信システム１００の信号強度が第１の閾値より低い場合、および、無線装置１１０が測定したWLANの信号強度が第２の閾値より高い場合、選択されたWLANに進むこと。および、
２）無線装置１１０が測定した3GPPセルラ通信システム１００の信号強度が第３の閾値より高い場合、または、無線装置１１０が測定したWLANの信号強度が第４の閾値より低い場合、3GPPセルラ通信システム１００に進むこと。
【００８１】
RANの信号強度は、参照信号受信電力（Reference Signal Received Power（RSRP））または受信信号コード電力（Received Signal Code Power（RSCP））、WLANの信号強度は、受信チャネル電力インジケータ（Received Channel Power Indicator（RCPI））または受信信号強度インジケータ（Received Signal Strength Indicator（RSSI））であり得る。
【００８２】
［アクション２０７］
無線装置１１０は、RANルールが達成（fulfill）された場合、選択されたWLANに接続する。
【００８３】
別に表現すると、無線装置は、選択されたWLANがRANリストにあるか、および、RANステアリングが選択されたWLANに許容されるか、に基づいて、選択されたWLANに接続し得る。
【００８４】
RANステアリングが選択されたWLANに対して許容されない場合、無線装置１１０は以下のようにRAN制御手順を適用しなくてよい。
【００８５】
例として、無線装置は、RANステアリングが許容されないWLANを含むブラックリストをチェックし得る。例として、ブラックリストは、ユーザにより構成、またはホームオペレータにより提供され得る。
【００８６】
別の例として、無線装置１１０がWLANを選択する際、無線装置１１０は選択されたWLANはRAN制御下にあるか否か、例えば選択されたWLANはRANにより示されるかを評価する。選択されたWLANがRNA制御下にある場合、無線装置１１０は、このWLANに対してRAN制御手順を適用する。RAN制御手順は、無線装置１１０がWLANに接続すべきか否かを要求する。背景のセクションで説明したように、可能なRAN制御手順は、例えばWLANに関連するRANルールに従って、無線装置１１０がWLANに対する受信信号レベルを比較することであり、信号レベルが閾値より大きい場合、無線装置１１０はWLANに接続し、それ以外の場合、無線装置１１０はそのWLANに接続しない。
【００８７】
RAN制御手順に従って、無線装置１１０が選択されたWLANに接続すべきでない場合、無線装置１１０は優先度の順序に従って別のWLANを選択する。
【００８８】
選択されたWLANがRAN制御下にない場合、無線装置１１０はRAN制御手順を適用しない。無線装置１１０は、選択されたWLANに接続するか否かを評価するために、別の手順を適用し得る。例えば、選択されたWLANがWLANSPにおいて示される場合、WLANSPにおいてそのWLANに接続するか否かを示す条件が存在し得る。
【００８９】
例えば、WLAN、ANDSFアプリケーション、またはユーザの好みに関連したRANルールのアプリケーションの間の失敗に起因して、無線装置が選択されたWLANへの接続に失敗した場合、無線装置は、それぞれの優先度レベルにより示されるWLANのセットの中から一番優先度の高いWLANを２番目に選択し得る。次に、無線装置は、選択したWLANへの接続に成功した場合、このアクションを繰り返し、先に進む。
【００９０】
［アクション２０８］
この段階では、無線装置１１０は選択されたWLANに接続し得る。
【００９１】
従って、無線ネットワークノード１３０は、WLANとセルラネットワークの間のトラフィックを制御またはステアリングするために、ベアラマーク、またはベアラマーキングを、無線装置１１０に送信し得る。
【００９２】
［アクション２０９］
無線装置１１０は、無線ネットワークノード１２０から、異なるベアラに関連する値などの、ベアラマーキングまたはベアラマークを受信する。これは、無線装置がそれぞれのベアラに関連する１つ以上の表示（マーク）を受信し得ることを意味する。それぞれのベアラは、GBR（Guaranteed Bit Rate）要求、Quality of Service、ベアラの種別、音声トラフィック、データトラフィック等により示され得る。異なるトラフィックフローは、異なるベアラにマップされ得る。
【００９３】
代わりに、または追加的に、無線装置は、ネットワークノード１２０のようなコアネットワークノードからベアラマーキングを取得し得る。
これらのベアラマーキングは、オペレータにより提供され得る。
【００９４】
［アクション２１０］
無線装置は、どのベアラがWLANを介して運ばれる（carry）か、またはどのベアラがRANを介して運ばれるかというように、トラフィックを制御し得る。
【００９５】
＜トラフィックステアリングまたはトラフィック制御＞
WLANへの接続の手順と、WLANへのトラフィックのステアリングは、２つの別箇のアクションである。いくつかの実施形態によれば、UEは、UEが接続するWLANがRAN制御下にあるか否かに基づいて、異なる手順を適用する。
【００９６】
WLANがRAN制御下にあるのであれば、UEはRANにより提供されたトラフィックステアリング情報を適用する。一つの可能性は、RANが、どのトラフィックがWLANにステアリングされるべきかを示すステアリング情報をUEに提供することである。もし、そのような情報がUEに利用可能でない場合、UEは、いくつかの他の手順に従って、トラフィックステアリングを実行し得る。例えば、事前に構成されたルール等に従って、ISRPルールを適用、またはトラフィックをステアリングし得る。
【００９７】
もしWLANがRAN制御下にない場合、UEはRANにより提供されたトラフィックステアリング情報を適用しない。UEは、例えば、ISRPに従って、トラフィックステアリングを進め得る。
【００９８】
図３を参照すると、まず、無線装置１１０は、検出されたWLAN、すなわち、まだ接続していないWLANの中からWLANを選択する。
【００９９】
［アクション３０１］
無線装置１１０は優先度の順位でWLANを選択する。
【０１００】
［アクション３０２］
無線装置１１０は、それから、選択されたWLANが「RAN制御されているか」、すなわち、WLANがRANリストにあるかを確認、例えばチェックし得る。
【０１０１】
［アクション３０３］
ローミングのシナリオ／場合については、無線装置１１０には、無線装置１１０がホームオペレータのパートナーに所属するWLAN Xに接続するように設計されたホームPLMNから、WLANSPが提供され得る。
【０１０２】
しかしながら、もし訪問先RANがRANリストにおいてWLAN Xを有するのであれば、RANルールがホームオペレータにより望まれ得ないことを示すときに、ローミングしている無線装置１１０は、WLAN Xとのみ接続することを意味する。ゆえに、あらゆるRANルールは、この特定のWLANに対しては無視されるべきであることを示す、WLANSPにおけるフラグを追加することが考慮され得る。
【０１０３】
［アクション３０４］
この場合は、無線装置１１０がRANルールを評価することに進む。しかしながら、もし選択されたWLANがRAN制御されていない場合、例えば、それがエンドユーザに選択されたWLANである場合、UEは上述のアクション３０３のように、選択されたWLANに接続する。
【０１０４】
RAN制御されたWLANに対しては、無線装置１１０はRANルールを評価し、WLANに移動するための閾値が満たされるかを確認する。
【０１０５】
［アクション３０５］
もし満たされていれば、無線装置１１０は、選択されたWLANに接続する。もし閾値が満たされないのであれば、無線装置１１０は、やり直し、WLAN優先度の順序に従って、別のWLANを選択する。
【０１０６】
［アクション３０６］
無線装置１１０がRAN制御されたWLANに接続した場合、無線装置１１０はトラフィックステアリングを行わない。
【０１０７】
［アクション３０７］
RANがトラフィックインジケータを無線装置１１０に提供した場合、無線装置１１９は、それに従ってトラフィックをステアリングする。
【０１０８】
［アクション３０８］
それ以外の場合、アクション３０７に関連して、無線装置１１０はISRPルールを適用する。
【０１０９】
上記の例に基づいて、無線装置１１０は以下のWLANと優先度を有する。
2016536940.tif 000006
【０１１０】
図４と図５を参照して、２つの異なるシナリオを説明する。
【０１１１】
図４を参照すると、（Xにより示された）無線装置は、WLAN B、WLAN D、WLAN Eのカバレッジにいる。これは、無線装置は以下のWLAN優先度リストを有することを意味する。
2016536940.tif 000007
無線装置は、一番大高い優先度のWLAN,すなわちWLAN Bを選択する。このWLANはRANリストにないため、無線装置はその後WLAN Bに接続する。
【０１１２】
図５を参照すると、（図においてXで示された）無線装置は、WLAN DとWLAN Eのカバレッジにいる。無線装置は、WLAN Dに接続するためのRCPI閾値が満たされない位置にいることに注意する。
2016536940.tif 000008
【０１１３】
無線装置は、まず、一番高い優先度を有するWLAN Dを選択する。WLAN DはRANリストにあるので、無線装置は、WLAN Dに入るために閾値が満たされているかを評価する。しかし、これが満たされていないので、無線装置は、優先度の順序で次のWLAN 、すなわちWLAN Eを選択する。無線装置は、WLAN Eを評価するために閾値が満たされているかを評価する。閾値が満たされている場合は、無線装置はWLAN Eに接続する。
【０１１４】
無線装置がWLAN Eと接続したとき、無線装置は、そのような指示が受信されれば、RANにより示されたトラフィックをステアリングする。それ以外の場合、無線装置はISRPを適用する。
【０１１５】
図６には、無線装置１１０における方法の、例示的で概略的なフローチャートが示される。無線装置１１０は、無線ローカルエリアネットワーク（WLAN）の選択を管理するための方法を実行する同様や類似のアクションを示すために、図２における参照番号と同じものが使用される。
【０１１６】
既に述べたように、無線装置１１０は、3GPPセルラ通信システム１００の無線ネットワークノード１２０によりい運用されるセルC1において位置する。
【０１１７】
以下のアクションは、あらゆる好適な順序で実行され得る。同様のアクションは、「〜得る」という言葉により示されるように、省略されてもよい。
【０１１８】
［アクション２０１］
無線装置１１０は、WLAN識別子の第１のサブセット並びに／または第２のサブセットを取得する。ここで、第１のサブセットは、WLANの選択に対するユーザの好みに関連し、第２のサブセットは、WLAN選択のポリシーに関連する。
【０１１９】
［アクション２０２］
無線装置１１０は、無線ネットワークノードから、WLAN識別子の第３のサブセットを受信する。ここで、第３のサブセットは、WLANのリストに関連する。第１並びに／または第２のサブセット、および第３のサブセットの各々は、第１並びに／または第２のサブセット、および第３のサブセットの他のWLANに対してどのWLANが優先されるかを示すためのそれぞれの優先度レベルに関連する。
【０１２０】
無線装置１１０には、複数の第３のサブセットが提供される。ここで、いくつかの第３のサブセットのWLANは、第２のサブセットのWLANより高い優先度レベルをそれぞれ有し、一方、いくつかの他の第３のサブセットのWLANは、第２のサブセットのWLANより低い優先度レベルをそれぞれ有する。
【０１２１】
各優先度レベルは、第１、第２、第３のサブセットのいずれか１つ内におけるWLAN間で関連した優先度を含む。
【０１２２】
［アクション２０４］
無線装置１１０は、セットのWLANのそれぞれに対して優先度を割り当て得る。例として、無線装置１１０は、セットにおけるWLANのそれぞれに対して、それぞれの優先度レベル（または優先度の値）を割り当て得る。しかしながら、いくつかの例では、セットのそれぞれのWLANに対する優先度レベルは、事前に決定され得る（事前に定義され得る）。例えば、アクション２０２において受信したリストは、リストのそれぞれのWLANに対するそれぞれの優先度レベルを含み得る。
【０１２３】
図２に関連して、上記のアクション２０４も参照されたい。
【０１２４】
［アクション２０５］
無線装置１１０は、それぞれの優先度レベルに基づいて、WLAN識別子の第１、第２、第３のサブセットから、WLANを選択する。
【０１２５】
選択されたWLANの選択は、第２と第３のサブセットのWLANより先に、第１のサブセットからのWLANが優先される間に、実行され得る。
【０１２６】
選択されたWLANの選択は、第３のWLANより先に、第２のサブセットからのWLANが優先される間に、実行され得る。
【０１２７】
［アクション２０６］
無線装置１１０は、選択されたWLANの観点において、RANルールを評価する。RANルールは、選択されたWLANが第３のサブセットからである場合、いつ無線装置１１０が選択されたWLANへ進むか、および、いつ無線装置１１０が3GPPセルラ通信システムへ進むかを示す。
【０１２８】
RANルールは、アクセスの選択のルール並びに／またはトラフィックステアリングのルールを含み得る。
【０１２９】
RANルールの評価２０６は、以下を含み得る。
無線装置１１０が測定した3GPPセルラ通信システム１００の信号強度が第１の閾値より低く、無線装置１１０が測定したWLANの信号強度が第２の閾値より高い場合、選択されたWLANへ進むこと。および
無線装置１１０が測定した3GPPセルラ通信システム１００の信号強度が第３の閾値より高い場合、または無線装置１１０が測定したWLANの信号強度が第４の閾値より低い場合、3GPPセルラ通信システム１００へ進むこと。
【０１３０】
RANの信号強度は、参照信号受信電力（Reference Signal Received Power（RSRP））または受信信号コード電力（Received Signal Code Power（RSCP））、WLANの信号強度は受信チャネル電力インジケータ（Received Channel Power Indicator（RCPI））または受信信号強度インジケータ（Received Signal Strength Indicator（RSSI））であり得る。
【０１３１】
［アクション２０７］
無線装置１１０は、RANルールが達成された場合、選択されたWLANに接続する。
【０１３２】
［アクション２０９］
図２に関連するアクション２０９も参照されたい。
【０１３３】
［アクション２１０］
無線装置は、どのベアラがWLANを介して運ばれるか、またはどのベアラがRANを介して運ばれるかというように、トラフィックを制御し得る。図２に関連して、上記のアクション２１０も参照されたい。
【０１３４】
図７を参照すると、無線装置１１０の概略的なブロック図が示される。無線装置１１０は、図２、３並びに／または図６における方法を実行するように構成される。より詳細には、無線装置１１０は、無線ローカルエリアネットワーク（WLAN）の選択を管理するように構成される。既に述べたように、無線装置１１０は、3GPPセルラ通信システム１００の無線ネットワークノード１２０により運用されるセルC1において位置する。
【０１３５】
無線装置１１０は、処理回路７１０を含む。
【０１３６】
無線装置１１０並びに／または処理回路７１０は、WLANの識別子の第１のサブセット並びに／または第２のサブセットを取得するように構成される。第１のサブセットは、WLANの選択に対するユーザの好みに関連し、第２のサブセットは、WLAN選択のポリシーに関連する。
【０１３７】
無線装置１１０並びに／または処理回路７１０は、無線ネットワークノード１２０から、WLAN識別子の第３のサブセットを受信するように構成される。ここで、第３のサブセットは、WLANのリストに関連する。第１並びに／または第２のサブセット、および第３のサブセットは、第１並びに／または第２のサブセット、および第３のサブセットの他のWLANに対してどのWLANが優先されるかを示すためのそれぞれの優先度レベルに関連する。
【０１３８】
無線装置１１０は、複数の第３のサブセットが提供されるように構成され得る。ここで、いくつかの第３のサブセットのWLANは、第２のサブセットのWLANより高い優先度レベルをそれぞれ有し、一方、いくつかの他の第３のサブセットのWLANは、第２のサブセットのWLANより低い優先度レベルをそれぞれ有する。
【０１３９】
それぞれの優先度レベルは、第１、第２、第３のサブセットのいずれか１つ内におけるWLAN間で関連した優先度を含む。
【０１４０】
無線装置１１０並びに／または処理回路７１０は、それぞれの優先度レベルに基づいて、WLAN識別子の第１、第２、および第３のサブセットからWLANを選択するように構成される。
【０１４１】
無線装置１１０並びに／または処理回路７１０は、第２と第３のWLANより先に、第１のサブセットからのWLANが優先される間に、選択されたWLANを選択するように構成される。
【０１４２】
無線装置１１０並びに／または処理回路７１０は、第３のWLANより先に、第２のサブセットからのWLANが優先される間に、選択されたWLANを選択するように構成される。
【０１４３】
無線装置１１０並びに／または処理回路７１０は、選択されたWLANが第３のサブセットからである場合、選択されたWLANの観点において、RANルールを評価するように構成される。RANルールは、いつ無線装置１１０が選択されたWLANへ進むか、および、いつ無線装置１０が3GPPセルラ通信システムに進むかを示す。
【０１４４】
RANルールは、アクセス選択のルール並びに／またはトラフィックのルールを含み得る。
【０１４５】
無線装置１１０並びに／または処理回路７１０は、RANルールが達成された場合に、選択されたWLANに接続するように構成される。
【０１４６】
無線装置１１０並びに／または処理回路７１０は、無線装置１１０が測定した3GPPセルラ通信システム１００の信号強度が第１の閾値より低く、無線装置１１０が測定したWLANの信号強度が第２の閾値より高い場合に、選択されたWLANへ進むように構成され得る。
【０１４７】
無線装置１１０並びに／または処理回路７１０は、無線装置１１０が測定した3GPPセルラ通信システム１００の信号強度が第３の閾値より高いか、無線装置１１０が測定したWLANの信号強度が第４の閾値より低い場合、3GPPセルラ通信システム１００へ進むように構成される。
【０１４８】
RANの信号強度は、参照信号受信電力（Reference Signal Received Power（RSRP））または受信信号コード電力（Received Signal Code Power（RSCP））、WLANの信号強度は受信チャネル電力インジケータ（Received Channel Power Indicator（RCPI））または受信信号強度インジケータ（Received Signal Strength Indicator（RSSI））であり得る。
【０１４９】
処理回路７１０は、処理部、プロセッサ、ASIC（an application specific integrated circuit）、FPGA（a field-programmable gate array）等であり得る。
例として、プロセッサ、ASIC、FPGA等は、１つ以上のプロセッサカーネルまたはプロセッサコアを含み得る。
【０１５０】
ここで用いられる「処理回路」という言葉は、処理部、プロセッサ、ASIC（an application specific integrated circuit）、FPGA（a field-programmable gate array）等であり得る。例として、プロセッサ、ASIC、FPGA等は、１つ以上のプロセッサカーネルを含み得る。いくつかの例では、処理回路は、ソフトウェアまたはハードウェアにより実装され得る。あらゆるそのようなモジュールは、ここに説明されるような、決定手段、評価手段、取得手段、関連付け手段、識別手段、選択手段、チェック手段、制御手段、受信手段、送信手段等であり得る。例として、「手段」という表現は、「部」であってもよく、決定部、選択部等としてもよい。
【０１５１】
ここで使用される「構成される」という言葉は、処理回路が、ここに説明した１つ以上のアクションを実行するために、ソフトウェアまたはハードウェアの手段により構成または適応されることを意味する。
【０１５２】
無線装置１１０は、ここで説明した、移動性パターン、チェックポイントまたは他の数、値、パラメータについての情報の１つ以上を送信するように構成された送信器７２０を有する。
【０１５３】
無線装置１１０は、さらに、ここで説明される移動性パターン、チェックポイント、および他の数、値、またはパターンについての情報の１つ以上を受信するように構成された受信器７３０を含む。
【０１５４】
無線装置１１０は、さらに、例えば処理回路により実行されるソフトウェアを格納するためのメモリ７４０を有する。ソフトウェアは、処理回路がここに説明される方法を実行することを可能にするための命令を含む。メモリは、ハードディスク、磁気記憶媒体、ポータブルコンピュータディスケットまたはディスク、フラッシュメモリ、ランダムアクセスメモリ（RAM）等であり得る。さらに、メモリは、プロセッサの内部レジスタメモリであり得る。
【０１５５】
WLANの選択を管理するためのコンピュータプログラム７０１が提供され得る。コンピュータプログラム７０１は、例えば無線装置の形態におけるコンピュータにおいて実行された場合に、図２、３並びに／または図６に従う方法をコンピュータに実行させるコンピュータ読み取り可能なコードユニットを含む。
【０１５６】
直接的に上記のコンピュータ読み取り可能な媒体７０３とコンピュータプログラム７０１を含むコンピュータプログラム製品７０２が提供される。
【０１５７】
ここで用いられる「数」、「値」という言葉は、２値、実数、虚数または有理数等の、あらゆる数字であり得る。さらに、「数」、「値」は、文字や文字列等の、１つ以上の文字（character）であり得る。「数」、「値」はまた、ビットストリングにより表現され得る。
【０１５８】
ここで用いられる「いくつかの実施形態」という表現は、説明される実施形態の特徴が、ここに開示されるあらゆる他の実施形態と組み合され得ることを示すために用いられる。
【０１５９】
ここで用いられる「送信する」と「送る」という表現は、置き換え可能と考えられる。これらの表現は、ブロードキャストによる送信を含む。これに関連して、ブロードキャストによる送信は、範囲内で認定されたあらゆる機器により、受信され復号され得る。ユニキャストの場合、一つの特別にアドレスされた機器が、当該送信を受信し復号し得る。グループキャスティングの場合、特別にアドレスされた機器のグループが、当該送信を受信し復号し得る。
【０１６０】
あらゆる観点の実施形態が説明されているものの、あらゆる異なる変形、改良等は、当業者にとって容易であろう。説明された実施形態は、ゆえに、本開示の範囲に限定することは意図されない。
＜＜付録＞＞
以下の詳細な説明により、さらなる例示的な実施形態が提供される。
序論
先のRAN2ミーティングにおいて、WLAN/3GPP無線インターワーキングスタディ項目に対するアクセスの選択のための妥協的な解決策が議論された。
この寄稿において、この解決策とANDSFとの間のインターワーキングを説明する。
ANDSFの概要
上述の背景のセクションを参照されたい。
［ISMP］
インターシステムモビリティシステム（ISMP）は、WLANと3GPPに同時に接続することができないUEにのみ利用されるアクセスの選択のポリシーである。複数の接続が可能なUEは、ISMPを無視する。ISMPポリシーにより、アクセス間の優先度の順序が提供される。
例示的なポリシーが表１に示される。この例示的なポリシーによれば、UEは、カバレッジにいる場合はWLANを選択すべきであり、それ以外の場合は、あらゆるWLANに接続すべきである。WLANが見つからない場合は、UEは3GPPへ接続する。
2016536940.tif 000009
［WLANSP］
WLAN選択ポリシー（WLANSP）により、異なるWLAN間のポリシーが提供される。WLANSPは、3GPPに関してポリシーを含まない。WLANSPでは、表２における例のように表されるBSSの負荷の導入が提案されている。
例におけるポリシーを伴い、WLAN AとWLAN Bのカバレッジエリアの内側のUEは、WLAN Aのロードが７０％より低い場合WLAN Aに接続し、それ以外の場合はWLAN Bに接続する。
2016536940.tif 000010
［ISRP］
インターシステムルーティングポリシー（ISRP）は、どのようにしてUEが異なるアクセスネットワーク間でトラフィックを転送すべきかを示すために使用される。ISRPは、WLANと3GPPに同時に接続することが可能なUEに対してのみ利用可能である。ISRPポシリーでは、UEに対してどのアクセスに雪像すべきであるかは規定されておらず、UEが一度異なるアクセスネットワークに接続した場合に、どのようにトラフィックを転送するかについてのみ規定されている。
表３において例示的なポリシーが示される。このポリシーを伴い、WLANと3GPPの両方に接続したUEは、3GPPに音声トラフィックを伝達し、WLANにブラウジングを伝達するだろう。UEがWLANに接続していないならば、UEはブラウジングと3GPPを介して伝達するだろう。
2016536940.tif 000011
-----------------------------------------------------------------------------
比較の解決策の概要
妥協的な解決策２において、いつUEがWLANへ進むべきか、および、いつUEが3GPPへ進むべきかを示す、RAN仕様書において規定されたルールに従って、UEはアクセスの選択を行う。ルールにおいて、UEは、測定したメトリック、例えば、3GPPとWLANの信楽強度を、RANからシグナリングされた閾値を比較する。
2016536940.tif 000012
UEが測定したRSRPがthreshRsrpLowより低い場合、および、測定したRCPIがthreshRcpiHighより高い場合、UEはWLANに進む。UEが測定したRSRPがthreshRsrpHighより高い場合、または、測定したRCPIがthreshRcpiLowより低い場合、UEは3GPPに進む。
RANはまた、RANルールを評価する際に、どのWLANがUEにより検討されるべきかを示す。例えばこれは、UEに提供されるWLANのリストとなり得る。また、必要と見なされれば、WLANの区別を提供するための閾値の異なるセットに対する異なるRANリストを有することも可能である。
-----------------------------------------------------------------------------  
妥協的な解決策２では、3GPPからWLANへオフロードするために、UEがそのトラフィックの一部のみをオフロードするように設計されることも可能である。
これは、（例えばベアラの設定とベアラの改良の間に）ベアラがWLANのオフロードに的確か否か（ベアラのQCI、無線条件等といったいくつかのファクタが、ベアラがオフロードに適しているか否かを決定する際に考慮され得る。）、および的確なベアラのトラフィックのみをステアリングするUEを示すRANにより実現化され得る。..ANDSFと妥協的な解決策との間の相互作用
TRにおいて好ましい詳細でまだ捉えられていない一つの領域は、どのようにRANの解決策とANDSFが相互作用すべきであるか、である。このセクションでは、どのように妥協的な解決策２とANDSFが共存し得るかについて示す。UEはデュアルコネクションが可能、すなわち、3GPPとWLANに同時に接続することができるものと想定する。
WLANの選択
UEは、どのWLANが検討されるべきかの異なる入力を有する。
●ユーザの好み−例えば、ユーザのホームWLAN
●WLANSP−ANDSFのポリシーにより示される、異なる優先度を含み得る複数のWLAN
●RANリスト−RANは、RANルールにおいて検討されるべきWLANのリストを提供することができる。
例えば、表４に示されるWLANを伴って構成されるUEを考える。
2016536940.tif 000013
RAN3 #83で合意されたように、エンドユーザの好みが優先され、例えば上記のWLAN間の優先度は以下のようになる。
優先度６    WLAN A
優先度７    WLAN B
優先度８    WLAN C
優先度９    WLAN D
優先度１０  WLAN E
これは、UEが最初にWLAN Aを見つけて接続することを試み、そうでない場合にWLAN Bを見つけて接続するように試みること等を意味する。典型的には、オペレータが厳密に同じエントリーを“WLANSP”と“RANリスト”に追加することが想定される。しかし、ローミングの場合では、RANリストにおいてWLAN SPにより提供されたWLANを優先度付けすることにより、オペレータは訪問先エリアで使用されるWLAN APの特定のセットを提供することが可能となる。例として、ヨーロッパにおけるWLANオペレータAと合意を得ている北アメリカからのオペレータXと、オペレータXのUEがヨーロッパにおけるオペレータのYネットワークにローミングすることを考える。YがAと合意を得ていなくとも、Xは可能性があれば絶えずUEをWLAN Aにオフロードしたいと考えている。
UEはRAN制御下ではWLAN、すなわちRANリストにおけるWLANであって他のWLAN、例えば、ユーザが選択したWLANまたはRANで知られていないWLANSPにおけるWLANではないWLANにのみRANルールを適用する。上記の例では、これは、UEはWLAN D、EにRANルールを適用し、WLAN A、BまたはCには適用しないことを意味する。
上記の例では、もしUEがWLAN Aのカバレッジエリアにいる場合、UEはWLAN Aに接続することを試み、他の場合WLAN Bに対して試み、そしてWLAN Cに対して試みる。もしこれらのWLAN が見つからなかった場合、UEはWLAN にRANルールを適用する。もしRANルールがWLAN Dに対して達成される場合、UEはそれに接続する。RANルールがWLAN Dに対して達成されない場合、UEはWLAN Eと接続すべきか否かを判断するためにRANルールを評価する。
どのトラフィックを移動させるかの選択
UEがRAN制御下でWLAN（すなわちRANリストにあるWLAN）へのオフロードを行い、RANがどのベアラがオフロードにふさわしいかどのベアラがそうでないかを示す場合、UEはこれらのインジケータに従ってトラフィックをステアリングする。そのようなインジケータがUEに提供されない場合、UEは存在すればISRPを適用することができる。もしRANインジケータやISRPが提供されない場合、UEは全てのそのベアラをWLANにステアリングする。
トラフィックインジケータは、RAN制御下にあるWLANに対して、すなわち上記の例において、適用可能ではない。UEがWLAN A、BまたはCへのオフロードを行っているならば、UEはRANからあらゆるトラフィックインジケータを適用せず、適用可能であれば、ISRPをこれらのWLANに適用する。
-----------------------------------------------------------------------------  
［フロー］
上記の議論に基づいて、ANDAFと妥協的な解決策との間の相互作用をこのセクションにおいてより詳細に説明する。
図３を参照する：RANの妥協的な解決策２とANDSFとの間の相互作用
まず、UEは検出されたWLANからWLANを選択する（まだそのWLANと接続しない）。
UEは優先度の順序にWLANを選択する。
UEは、選択されたWLANが“RAN制御された／ステアリングされた”ものであるか、すなわち、WLANがRANリストにあるかを確認する。この場合であれば、UEはRANルールを評価すること、例えば無線電力レベルを閾値の値／レベルと比較することに進む。しかしながら、選択されたWLANがRAN制御されていなければ、例えば、それがエンドユーザが選択したWLANでなければ、UEは選択されたWLANに接続する。
RAN制御されたWLANに対して、UEはRANルールを評価して、WLANに移動するための閾値が満たされているかを確認する。もしそうであれば、UEは選択されたWLANに接続する。もし閾値が満たされていなければ、UEはWLANの優先度の順序に従って、別のWLANを選択することを開始する。
UEがRAN制御されたWLANと接続したあと、UEはトラフィックをWLANにステアリングすることができる。もし、RANが、例えばマーキングの手段により、UEに対してどのベアラがオフロードにふさわしく、どれがふさわしくないかを示す場合、UEはそれに従ってトラフィックをステアリングする。そうでなければ、UEはISRPルールを適用し、もしそのようなルールが提供されなければ、全てのUEのトラフィックはWLANにステアリングされる。
［例］
上記の例に基づいて、UEは以下のWLANと優先度を有する。
2016536940.tif 000014
以下に、２つの異なるシナリオで何が生じ得るかを見ることができる。
図４を参照する：例示的なシナリオ１
このシナリオでは、UEはWLAN B、WLAN D、およびWLAN Eのカバレッジにいる。それは、UE以下のWLANの優先度リストを有することを意味する。
2016536940.tif 000015
UEは一番高い優先度のWLAN、すなわち、WLAN Bを選択する。このWLANはRANリストにないため、UEはWLAN Bと接続する。
図５を参照する:例示的なシナリオ２
このシナリオでは、UEは、WLAN DとWLAN Eのカバレッジにいる。UEは、WLAN Dに接続するためのRCPIの閾値が満たされない場所に位置することに注意する。
2016536940.tif 000016
UEは、まず、一番高い優先度を有するWLAN Dを選択する。WLAN DはRANリストにあるので、UEはWLAN Dに入るために閾値が満たされているかを評価する。しかし、これが満たされていないため、UEは優先度の順序で次のWLAN、すなわちWLAN Eを選択する。UEはWLAN Eに入るために閾値が満たされているかを評価する。閾値が満たされるので、UEはWLAN Eに接続する。
UEがWLAN Eに接続する場合、UEは、そのような指示を受信したならば、RANにより示されたベアラをステアリングする。そうでなければ、UEはISRPを適用する。
上記の議論と例から、妥協的なRANの解決策とANDSFとの間の基本的な相互作用が、ANDSFのあらゆる変更を必要とせずに保証されると考えられ得る。従って、以下のように提案する。すなわち、RAN2が、妥協的なRANの解決策２とANDSFとの間の相互作用が、上記の優先度の手順に従うことにより、ANDSFのあらゆる変更を必要とせずに保証されることが可能であることに合意することが提案される。
RAN2は、TRにおいて上記の相互作用の観点を捉えることが課される。
-----------------------------------------------------------------------------  
結論
この寄稿において、ANDSFと妥協的なRANの解決策２との間の相互作用の詳細が議論された。その議論に基づいて、以下のように提案する。
［提案１］
RAN２は、妥協的なRANの解決策２とANDSFとの間の相互作用は、上記に説明した優先度の手順に従うことにより、ANDSFのあらゆる変更を必要とせずに保証されることが可能であることに合意することが提案される。
［提案２］
RAN2は、TRにおいて上記の相互作用の観点を捉えることが課される。
【図１】
2016536940.tif 000017
【図２】
2016536940.tif 000018
【図３】
2016536940.tif 000019
【図４】
2016536940.tif 000020
【図５】
2016536940.tif 000021
【図６】
2016536940.tif 000022
【図７】
2016536940.tif 000023
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
無線ローカルエリアネットワーク（WLAN）の選択を管理するために、3GPPセルラ通信システム（１００）の無線ネットワークノード（１２０）により運用されるセル（C1）に位置する無線装置（１１０）により実行される方法であって、
WLANの選択に対するユーザの好みに関連した、WLANの識別子の第1のサブセット、並びに／または、WLANの選択のポリシーに関連した、WLANの第2のサブセットを取得する工程（２０１）と、
WLANのリストに関連した、WLANの識別子の第3のサブセットを、前記無線ネットワークノード（１２０）から受信する工程（２０２）であって、前記第1並びに／または第2のサブセットと、前記第3のサブセットのそれぞれは、どのWLANを前記第1並びに／または第2のサブセットと、前記第3のサブセットの他のWLANに対して優先させるかを示すための、それぞれの優先度レベルに関連づけられる、工程と、
WLAN識別子の前記第1、第2、および第3のサブセットから、前記それぞれの優先度レベルに基づいてWLANを選択する工程（２０５）と、
前記選択されたWLANが、前記第3のサブセットからである場合、無線アクセスネットワーク（RAN）ルールを、前記選択されたWLANの観点で評価する工程（２０６）であって、前記RANのルールは、前記無線装置（１１０）がいつ前記選択されたWLANに進むかと、前記無線装置（１１０）がいつ前記3GPPセルラ通信システムに進むかを示す、工程と、
前記RANルールが達成される場合、前記選択されたWLANに接続する工程（２０７）と、を有することを特徴とする方法。
【請求項２】
前記選択されたWLANの前記選択は、前記第2と第3のサブセットのWLANより先に、前記第１のサブセットからのWLANが優先される間に行われることを特徴とする請求項１に記載の方法。
【請求項３】
前記選択されたWLANの前記選択は、前記第3のサブセットのWLANより先に、前記第2のサブセットからのWLANが優先される間に行われることを特徴とする請求項１または２に記載の方法。
【請求項４】
前記無線装置（１１０）には、複数の第3のサブセットが提供され、いくつかの第3のサブセットのWLANは、それぞれ前記第2のサブセットのWLANより高い優先度のレベルを有し、いくつかの他の第3のサブセットの他のWLANは、それぞれ前記第2のサブセットのWLANより低い優先度のレベルを有することを特徴とする請求項１から３のいずれか１項に記載の方法。
【請求項５】
前記それぞれの優先度のレベルは、前記第1、前記第2、および前記第3のサブセットの少なくとも１つの中におけるWLAN間で関連付けられた優先度を含むことを特徴とする請求項１から４のいずれか1項に記載の方法。
【請求項６】
前記RANルールは、アクセスの選択のルール、並びに／または、トラフィックステアリングのルールを含むことを特徴とする請求項１から５のいずれか１項に記載の方法。
【請求項７】
前記RANルールの前記評価（２０６）は、
前記無線装置（１１０）が測定した前記3GPPセルラ通信システム（１００）の信号強度が第１の閾値より低く、前記無線装置（１１０）が測定したWLANの信号強度が第２の閾値より高い場合、前記選択されたWLANへ進み、
前記無線装置（１１０）が測定した前記3GPPセルラ通信システム（１００）の信号強度が第３の閾値より高い、または前記無線装置（１１０）が測定したWLANの信号強度が第４の閾値より低い場合、前記3GPPセルラ通信システム（１００）に進む、ことを含むことを特徴とする請求項１から６のいずれか１項に記載の方法。
【請求項８】
RANの前記信号強度は、参照信号受信電力（RSRP）または受信信号コード電力（RSCP）であり、WLANの信号強度は、受信チャネル電力インジケータ（RCPI）または受信信号強度インジケータ（RSSI）であることを特徴とする請求項１から７のいずれか1項に記載の方法。
【請求項９】
無線ローカルエリアネットワーク（WLAN）の選択を管理するために、3GPPセルラ通信システム（１００）の無線ネットワークノード（１２０）により運用されるセル（C1）に位置する無線装置（１１０）であって、
WLANの選択のためのユーザの好みに関連した、WLANの識別子の第1のサブセット、並びに／または、WLANの選択のポリシーに関連した、WLANの第2のサブセットを取得し、
WLANのリストに関連した、WLANの識別子の第3のサブセットを、前記無線ネットワークノード（１２０）から受信し、ここで、前記第1並びに／または第2のサブセットと、前記第3のサブセットのそれぞれは、どのWLANを前記第1並びに／または第2のサブセットと、前記第3のサブセットの他のWLANに対して優先させるかを示すための、それぞれの優先度レベルに関連づけられ、
WLAN識別子の前記第1、第2、および第3のサブセットから、前記それぞれの優先度レベルに基づいてWLANを選択し、
前記選択されたWLANが、前記第3のサブセットからである場合、無線アクセスネットワーク（RAN）ルールを、前記選択されたWLANの観点で評価し、ここで、前記RANルールは、前記無線装置（１１０）がいつ前記選択されたWLANに進むかと、前記無線装置（１１０）がいつ前記3GPPセルラ通信システムに進むかを示し、
前記RANルールが達成される場合、前記選択されたWLANに接続する、ように構成されることを特徴とする無線装置（１１０）。
【請求項１０】
前記選択されたWLANを、前記第2と第3のサブセットのWLANより先に、前記第１のサブセットからのWLANが優先される間に選択するように構成されることを特徴とする請求項９に記載の無線装置（１１０）。
【請求項１１】
前記選択されたWLANを、前記第3のサブセットのWLANより先に、前記第2のサブセットからのWLANが優先される間に選択するように構成されることを特徴とする請求項９または１０に記載の無線装置（１１０）。
【請求項１２】
複数の第3のサブセットが提供されるように構成され、ここで、いくつかの第3のサブセットのWLANは、それぞれ前記第2のサブセットのWLANより高い優先度のレベルを有し、いくつかの他の第3のサブセットの他のWLANは、それぞれ前記第2のサブセットのWLANより低い優先度のレベルを有する、ことを特徴とする請求項９から１１のいずれか１項に記載の無線装置（１１０）。
【請求項１３】
前記それぞれの優先度のレベルは、前記第1、前記第2、および前記第3のサブセットの少なくとも１つの中におけるWLAN間で関連付けられた優先度を含むことを特徴とする請求項９から１２のいずれか1項に記載の無線装置（１１０）。
【請求項１４】
前記RANルールは、アクセスの選択のルール、並びに／またはトラフィックステアリングのルールを含むことを特徴とする請求項９から１３のいずれか１項に記載の無線装置（１１０）。
【請求項１５】
前記無線装置（１１０）は、
前記無線装置（１１０）が測定した前記3GPPセルラ通信システム（１００）の信号強度が第1の閾値より低く、前記無線装置（１１０）が測定したWLANの信号強度が第2の閾値より高い場合、前記選択されたWLANへ進み、
前記無線装置（１１０）が測定した前記3GPPセルラ通信システム（１００）の信号強度が第3の閾値より高い、または前記無線装置（１１０）が測定したWLANの信号強度が第4の閾値より低い場合、前記3GPPセルラ通信システム（１００）に進む、ように構成されることを特徴とする請求項９から１４のいずれか１項に記載の無線装置（１１０）。
【請求項１６】
RANの前記信号強度は、参照信号受信電力（RSRP）または受信信号コード電力（RSCP）であり、WLANの信号強度は、受信チャネル電力インジケータ（RCPI）または受信信号強度インジケータ（RSSI）であることを特徴とする請求項１５に記載の無線装置（１１０）。
【請求項１７】
無線装置（１１０）において実行された場合に、請求項１から８のいずれか１項に記載の前記方法を前記無線装置（１１０）に実行させる、コンピュータ読み取り可能なコードユニットを含む、WLANの選択を管理するためコンピュータプログラム（７１０）。
【国際調査報告】
2016536940.tif 000024
2016536940.tif 000025
2016536940.tif 000026
2016536940.tif 000027